【手続補正書】
【提出日】平成23年4月28日(2011.4.28)
【手続補正１】
【補正対象書類名】特許請求の範囲
【補正対象項目名】全文
【補正方法】変更
【補正の内容】
【特許請求の範囲】
【請求項１】
脚筋および／または下腹／背筋の緊張を高めるための履物であって、
ユーザの足に前記履物を固定するための固定手段と、
使用時にユーザの足を係合するための少なくとも上層、またはさらなる上層、および使用時に地面と係合するための下層を含むソールと、を備え、
前記ソールの前記上層は前端／つま先領域、アーチ領域、および踵領域として配置された異なる圧縮抵抗または密度の２つ以上の材料を含み、
前記ソールの前記上層は、比較的高い圧縮抵抗または密度の２つの材料の間に挟まれた比較的低い圧縮抵抗または密度の材料を含み、
前記ソールは、使用中にユーザの体重が掛かることにより前記上層の少なくとも一部分に不安定性が生じ、ユーザによるバランス補正が必要になるように構成された、履物。
【請求項２】
前記アーチ領域が前記前端／つま先領域および／または前記踵より比較的低い圧縮抵抗または密度の材料を含み、不安定性を生じる、請求項１に記載の履物。
【請求項３】
前記前端／つま先領域、アーチ領域、および踵が一体的ソールとして形成される、請求項１または２に記載の履物。
【請求項４】
前記ソールが解剖学的形状である、請求項１ないし３のいずれかに記載の履物。
【請求項５】
前記ソールの前記上層が３つの材料を含む、請求項１ないし４のいずれかに記載の履物。
【請求項６】
前記ソールの前記領域が前記ソール内に内部に設けられる、請求項１ないし５のいずれかに記載の履物。
【請求項７】
より高い圧縮抵抗または密度の前記２つの材料が異なる材料である、請求項１ないし６のいずれかに記載の履物。
【請求項８】
前記材料が層状構成に配置される、請求項１ないし７のいずれかに記載の履物。
【請求項９】
前記材料が垂直方向に積層される、請求項８に記載の履物。
【請求項１０】
前記材料は水平方向に積層される、請求項８または９に記載の履物。
【請求項１１】
前記上層が比較的低い圧縮抵抗または密度によってもたらされるアーチ領域、ならびに比較的高い圧縮抵抗または密度の２つの材料によってもたらされる前端／つま先領域および踵領域を含む、請求項１ないし１０のいずれかに記載の履物。
【請求項１２】
前記前端／つま先領域および前記踵が異なる圧縮抵抗または密度の材料によってもたらされる、請求項１１に記載の履物。
【請求項１３】
前記つま先が、Ａｓｋｅｒ  Ｃスケールで略４０ないし５０の硬度値を有する材料によってもたらされる、請求項１１または１２に記載の履物。
【請求項１４】
前記硬度が略４５である、請求項１３に記載の履物。
【請求項１５】
前記アーチ領域が、Ａｓｋｅｒ  Ｃスケールで略２５ないし３５の硬度を有する材料によってもたらされる、請求項１１ないし１４のいずれかに記載の履物。
【請求項１６】
前記硬度が略３１である、請求項１５に記載の履物。
【請求項１７】
前記踵がＡｓｋｅｒ  Ｃスケールで略４０ないし６０の硬度を有する材料によってもたらされる、請求項１１ないし１６のいずれかに記載の履物。
【請求項１８】
前記硬度が略５４である、請求項１７に記載の履物。
【請求項１９】
前記ミッドソールの水平積層材料が前記前端／つま先領域、アーチ領域、および踵領域を含む、請求項１０に記載の履物。
【請求項２０】
前記水平積層材料が異なる圧縮抵抗または密度の材料の重なり合う領域をもたらすように対応して漸減されるか、不規則な形状の接合縁を有する、請求項１０に記載の履物。
【請求項２１】
前記アーチ領域、踵、および／または前端／つま先領域の隣接部に、対応する漸減部または不規則な形状の縁が設けられ、前記アーチ領域および踵、および／または前記アーチ領域および前端／つま先領域の材料の重なり合いがもたらされる、請求項２０に記載の履物。
【請求項２２】
前記材料がエラストマ、シリコーン、天然もしくは合成ゴム、および／またはポリウレタンである、請求項１ないし２１のいずれかに記載の履物。
【請求項２３】
前記材料がＥＶＡ（エチレン酢酸ビニル）である、請求項２２に記載の履物。
【請求項２４】
前記履物が開放性履物である、請求項１ないし２３のいずれかに記載の履物。
【請求項２５】
前記開放性履物がフリップフロップ、サンダル、または類似物である、請求項２４に記載の履物。
【請求項２６】
脚筋および／または下腹／背筋の緊張を高めるための履物であって、
履物をユーザの足に固定するための固定手段と、
前端／つま先領域、アーチ領域、および踵として配置された異なる圧縮抵抗または密度の２つ以上の材料を含み、使用中にユーザの体重が掛かると上部ソールの少なくとも一部分に不安定性が生じ、ユーザによるバランス補正が必要となるように構成されたソールと、を備え、
前記ソールは、比較的高い圧縮抵抗または密度の２つの材料の間に挟まれた比較的低い圧縮抵抗または密度の材料を含み、
前記ソールは、ユーザの足を受容するための上部表面またはソールの上層と、地面と接触するための下部表面または前記ソールの下層とを含み、前記上面および下面は、快適性を促進しかつ通常の履物の感覚をユーザに提供するように、踵領域より前端／つま先領域の方がより密接した、履物。
【請求項２７】
請求項１ないし２５のいずれかに記載の特徴の１つ以上をさらに含む、請求項２６に記載の履物。
【請求項２８】
脚筋および／または下腹／背筋の緊張を高めるための履物であって、
履物をユーザの足に固定するための固定手段と、
前端／つま先領域、アーチ領域、および踵領域として配置された異なる圧縮抵抗または密度の２つ以上の材料を含み、使用中にユーザの体重が掛かると上部ソールの少なくとも一部分に不安定性が生じ、ユーザによるバランス補正が必要となるように構成されたソールと、を備え、
前記ソールは、比較的高い圧縮抵抗または密度の２つの材料の間に挟まれた比較的低い圧縮抵抗または密度の材料を含み、
前記ソールの厚さが、快適性を促進しかつ通常の履物の感覚をユーザに提供するように、前記踵から前記前端／つま先領域まで漸減する、履物。
【請求項２９】
前記ソールの上面および下面が前記踵から前記前端／つま先領域まで漸減する、請求項２８に記載の履物。
【請求項３０】
前記ソールの少なくとも上部および下部側縁が前記踵から前記前端／つま先領域まで漸減する、請求項２８または２９に記載の履物。
【請求項３１】
請求項１ないし２５のいずれかに記載の特徴の１つ以上をさらに含む、請求項２８ないし３０のいずれかに記載の履物。
【請求項３２】
使用中にユーザの足の少なくとも一部分を受容し、脚筋および／または下腹／背筋の緊張を高めるための履物用のインソールであって、
前端／つま先領域、アーチ領域、および踵領域として配置され、比較的高い圧縮抵抗または密度の２つの材料の間に挟まれた比較的低い圧縮抵抗または密度の材料を含み、
使用中にユーザの体重が掛かるとインソールの一部分に不安定性が生じ、ユーザによるバランス補正が必要になるように構成されたインソール。
【請求項３３】
より高い圧縮抵抗または密度の前記２つの材料が異なる材料である、請求項３２に記載のインソール。
【請求項３４】
請求項１ないし３１のいずれかに記載する前記ソールの特徴を含む、請求項３２または３３に記載のインソール。
【請求項３５】
前記インソールがソックスの一部として含まれる、請求項３２ないし３４のいずれかに記載のインソール。
【請求項３６】
靴のインソールまたはソールの部分を成形する方法であって、
比較的低い圧縮抵抗または密度の第１材料のアーチ領域を提供するステップと、
比較的高い圧縮抵抗または密度の第２材料の前端／つま先領域および踵領域を提供するステップと、
鋳型内で前端／つま先領域と踵領域との間にアーチ領域を配置し、前端／つま先領域、アーチ領域、および踵領域を一緒に結合して、揺動効果を有し使用中にユーザによるバランス補正を必要とする一体的（イン）ソールを形成するステップと、を含む方法。
【請求項３７】
結合ステップが前記材料を加熱することによって達成される、請求項３６に記載の方法。
【請求項３８】
結合ステップが前記材料の圧縮によって促進される、請求項３６または３７に記載の方法。
【請求項３９】
前記材料の結合がワッフルプレス型結合装置で行われる、請求項３７または３８に記載の方法。
【請求項４０】
「キャスタ」ユニットをもたらす第１段階の成形プロセスおよび最終製品をもたらす第２段階の成形プロセスを含む、請求項３６ないし３９のいずれかに記載の方法。
【請求項４１】
前記一体的（イン）ソールの上面層または下面層のいずれか一方または両方に追加層が結合される、請求項３６ないし４０のいずれかに記載の方法。
【請求項４２】
前記前端／つま先領域およびアーチ領域、および／または前記アーチ領域および踵領域の接合縁が不規則名形状に形成されるか、または増大する密封表面積をもたらすように対応して漸減される、請求項３６ないし４１のいずれかに記載の方法。
【請求項４３】
請求項１ないし３１に記載した履物または請求項３２ないし３５に記載したインソールを使用して、脚筋および／または下腹／背筋の緊張を高めるための運動法であって、前記履物または前記インソールを含む履物を着用するステップと、前記履物またはインソールに体重を掛けて、起立中および／または歩行中に脚筋の鍛錬をもたらすステップとを含む運動法。